(57)【要約】【課題】無線通信システムにおいてサウンディング基準信号を伝送する方法を提供する。【解決手段】サウンディング基準信号伝送方法は、サブフレーム上でアップリンク制御情報を運ぶＰＵＣＣＨ（ｐｈｙｓｉｃａｌ  ｕｐｌｉｎｋ  ｃｏｎｔｒｏｌ  ｃｈａｎｎｅｌ）を生成し、前記サブフレームは、複数のＳＣ−ＦＤＭＡ（ｓｉｎｇｌｅ  ｃａｒｒｉｅｒ−ｆｒｅｑｕｅｎｃｙ  ｄｉｖｉｓｉｏｎ  ｍｕｌｔｉｐｌｅ  ａｃｃｅｓｓ）シンボルを含み、一つのＳＣ−ＦＤＭＡシンボルは、穿孔される段階、及び前記ＰＵＣＣＨ上の前記アップリンク制御情報と前記穿孔されたＳＣ−ＦＤＭＡシンボル上のサウンディング基準信号を同時に伝送する段階、を含む。アップリンク制御情報とサウンディング基準信号を同時に伝送しても単一搬送波特性を保存することができる。【選択図】図９
2010520699.tif 000002
【特許請求の範囲】
【請求項１】
無線通信システムにおいてサウンディング基準信号伝送方法において、
サブフレーム上でアップリンク制御情報を運ぶＰＵＣＣＨ（ｐｈｙｓｉｃａｌ  ｕｐｌｉｎｋ  ｃｏｎｔｒｏｌ  ｃｈａｎｎｅｌ）を生成し、前記サブフレームは、複数のＳＣ−ＦＤＭＡ（ｓｉｎｇｌｅ  ｃａｒｒｉｅｒ−ｆｒｅｑｕｅｎｃｙ  ｄｉｖｉｓｉｏｎ  ｍｕｌｔｉｐｌｅ  ａｃｃｅｓｓ）シンボルを含み、一つのＳＣ−ＦＤＭＡシンボルは、穿孔される段階；及び、
前記ＰＵＣＣＨ上の前記アップリンク制御情報と前記穿孔されたＳＣ−ＦＤＭＡシンボル上のサウンディング基準信号を同時に伝送する段階；
を含むことを特徴とするサウンディング基準信号伝送方法。
【請求項２】
前記サブフレームは、二つのスロットで構成されて、前記ＰＵＣＣＨは、二つのスロットごとに一つの資源ブロックを使用することを特徴とする請求項１に記載のサウンディング基準信号伝送方法。
【請求項３】
前記アップリンク制御情報のための前記二つのスロットは、相異する資源ブロックを使用することを特徴とする請求項２に記載のサウンディング基準信号伝送方法。
【請求項４】
前記アップリンク制御情報は、前記サブフレーム内の二つのスロットごとに相異する長さの直交シーケンスに拡散されることを特徴とする請求項２に記載のサウンディング基準信号伝送方法。
【請求項５】
前記穿孔されたＳＣ−ＦＤＭＡシンボルを含むスロットに対する直交シーケンスの長さは、他のスロットに対する直交シーケンスの長さより短いことを特徴とする請求項４に記載のサウンディング基準信号伝送方法。
【請求項６】
前記サウンディング基準信号のための前記穿孔されたＳＣ−ＦＤＭＡシンボルは、前記サブフレーム内の最初のＳＣ−ＦＤＭＡシンボルであることを特徴とする請求項１に記載のサウンディング基準信号伝送方法。
【請求項７】
前記サウンディング基準信号のための前記穿孔されたＳＣ−ＦＤＭＡシンボルは、前記サブフレーム内の最後のＳＣ−ＦＤＭＡシンボルであることを特徴とする請求項１に記載のサウンディング基準信号伝送方法。
【請求項８】
前記アップリンク制御情報のビット数は、１ビットまたは２ビットであることを特徴とする請求項１に記載のサウンディング基準信号伝送方法。
【請求項９】
前記アップリンク制御情報は、ＨＡＲＱ（ｈｙｂｒｉｄ  ａｕｔｏｍａｔｉｃ  ｒｅｐｅａｔ  ｒｅｑｕｅｓｔ）遂行に使われるＡＣＫ（Ａｃｋｎｏｗｌｅｄｇｅｍｅｎｔ）／ＮＡＣＫ（Ｎｏｔ−Ａｃｋｎｏｗｌｅｄｇｅｍｅｎｔ）信号であることを特徴とする請求項１に記載のサウンディング基準信号伝送方法。
【請求項１０】
前記サウンディング基準信号が前記ＰＵＣＣＨと同時に伝送されるか否かを指示するサウンディング指示子を基地局から受信する段階をさらに含むことを特徴とする請求項１に記載のサウンディング基準信号伝送方法。
【請求項１１】
前記アップリンク制御情報の復調に使われる復調基準信号を前記ＰＵＣＣＨを介して伝送する段階をさらに含むことを特徴とする請求項１に記載のサウンディング基準信号伝送方法。
【請求項１２】
無線通信システムにおいてサウンディング基準信号伝送方法において、
サブフレーム上でアップリンク制御情報を運ぶＰＵＣＣＨ（ｐｈｙｓｉｃａｌ  ｕｐｌｉｎｋ  ｃｏｎｔｒｏｌ  ｃｈａｎｎｅｌ）を生成し、前記サブフレームは、第１スロットと第２スロットを含み、一つのスロットは、複数のＳＣ−ＦＤＭＡシンボルを含む段階；及び、
前記ＰＵＣＣＨ上の前記アップリンク制御情報と前記第１スロット上の一つのＳＣ−ＦＤＭＡシンボル上のサウンディング基準信号を伝送する段階；を含み、
前記アップリンク制御情報は、第１スロットで第１直交シーケンスにより拡散されて、第２スロットで第２直交シーケンスにより拡散されて、前記第１直交シーケンスの長さは前記第２直交シーケンスの長さより短いことを特徴とするサウンディング基準信号伝送方法。
【請求項１３】
前記第１直交シーケンスは、直交シーケンスの集合｛（１，１，１），（１，ｅｊ２π／３，ｅｊ  ４π／３），（１，ｅｊ４π／３，ｅｊ２π／３）｝から選択されることを特徴とする請求項１２に記載のサウンディング基準信号伝送方法。
【請求項１４】
前記第２直交シーケンスは、直交シーケンスの集合｛（１，１，１，１），（１，−１，１，−１），（１，−１，−１，１）｝から選択されることを特徴とする請求項１２に記載のサウンディング基準信号伝送方法。
【請求項１５】
前記アップリンク制御情報のための第１スロットと第２スロットは、相異する副搬送波を使用することを特徴とする請求項１２に記載のサウンディング基準信号伝送方法。
【請求項１６】
前記サウンディング基準信号のための前記ＳＣ−ＦＤＭＡシンボルは、前記ＰＵＣＣＨで穿孔されたＳＣ−ＦＤＭＡシンボルであることを特徴とする請求項１２に記載のサウンディング基準信号伝送方法。
【請求項１７】
前記アップリンク制御情報と前記サウンディング基準信号は、同時に伝送されることを特徴とする請求項１２に記載のサウンディング基準信号伝送方法。
【請求項１８】
無線通信システムにおいてサウンディング基準信号受信方法において、
複数のＳＣ−ＦＤＭＡシンボルで構成されて、一つのＳＣ−ＦＤＭＡシンボルは、穿孔されたＰＵＣＣＨ上でアップリンク制御情報を受信する段階；及び、
前記穿孔されたＳＣ−ＦＤＭＡシンボル上にサウンディング基準信号を受信する段階；を含むことを特徴とするサウンディング基準信号受信方法。
【請求項１９】
前記アップリンク制御情報と前記サウンディング基準信号は、端末により同時に伝送されることを特徴とする請求項１８に記載のサウンディング基準信号受信方法。
【請求項２０】
前記サウンディング基準信号を用いてアップリンクチャネル状態を測定する段階をさらに含むことを特徴とする請求項１８に記載のサウンディング基準信号受信方法。
【発明の詳細な説明】
【技術分野】
【０００１】
本発明は、無線通信に関し、より詳しくは、無線通信システムにおいてサウンディング基準信号を伝送する方法に関する。
【背景技術】
【０００２】
次世代無線通信システムは、制限された無線資源（ｒａｄｉｏ  ｒｅｓｏｕｒｃｅ）を用いて高品質のマルチメディアデータが高速に伝送できなければならない。帯域幅の制限された無線チャネルでこれを可能にするためには周波数効率（ｓｐｅｃｔｒａｌ  ｅｆｆｉｃｉｅｎｃｙ）を極大化すると共に、高速伝送時発生するシンボル間干渉（ｉｎｔｅｒ−ｓｙｍｂｏｌ  ｉｎｔｅｒｆｅｒｅｎｃｅ）及び周波数選択的フェーディング（ｆｒｅｑｕｅｎｃｙ  ｓｅｌｅｃｔｉｖｅ  ｆａｄｉｎｇ）を克服しなければならない。
【０００３】
無線通信システムの性能を向上させるために、基地局と端末との間のチャネル状態（ｃｈａｎｎｅｌ  ｃｏｎｄｉｔｉｏｎ）を用いる閉ループ（ｃｌｏｓｅｄ−ｌｏｏｐ）伝送技法が登場している。適応的変調及びコーディング（Ａｄａｐｔｉｖｅ  Ｍｏｄｕｌａｔｉｏｎａｎｄ  Ｃｏｄｉｎｇ；ＡＭＣ）技法は、帰還されるチャネル状態情報を用いて基地局で変調及びコーディング方式（ｍｏｄｕｌａｔｉｏｎ  ａｎｄ  ｃｏｄｉｎｇ  ｓｃｈｅｍｅ、ＭＣＳ）を調節してリンク性能を増加させる技術である。
【０００４】
一般的に、ダウンリンクチャネル状態は、ＣＱＩ（Ｃｈａｎｎｅｌ  Ｑｕａｌｔｉｙ  Ｉｎｄｉｃａｔｏｒ）などのようによく知られた形態に端末が基地局に知らせる。基地局は、各端末からダウンリンクチャネル状態を受信して周波数選択的スケジューリングを遂行することができる。然しながら、アップリンクでも周波数選択的スケジューリングを遂行するためには基地局がアップリンクチャネル状態を知る必要がある。
【０００５】
チャネル状態は、基準信号（ｒｅｆｅｒｅｎｃｅ  ｓｉｇｎａｌ）を用いて測定する。基準信号は、基地局と端末との両者間に知られた信号であって、パイロット（ｐｉｌｏｔ）ともいう。アップリンク基準信号には復調基準信号（ｄｅｍｏｄｕｌａｔｉｏｎ  ｒｅｆｅｒｅｎｃｅ  ｓｉｇｎａｌ）とサウンディング基準信号（ｓｏｕｎｄｉｎｇ  ｒｅｆｅｒｅｎｃｅ  ｓｉｇｎａｌ）の二つの種類がある。復調基準信号は、データ復調のためのチャネル推定に使われて、サウンディング基準信号は、データ伝送と関係なしに使用者スケジューリングに使われる。
【０００６】
一方、多様なアップリンク制御情報がアップリンク制御チャネルを介して伝送される。アップリンク制御信号には、ＨＡＲＱ（ｈｙｂｒｉｄ  ａｕｔｏｍａｔｉｃ  ｒｅｐｅａｔ  ｒｅｑｕｅｓｔ）を遂行するためのＡＣＫ（Ａｃｋｎｏｗｌｅｄｇｅｍｅｎｔ）／ＮＡＣＫ（Ｎｏｔ−Ａｃｋｎｏｗｌｅｄｇｅｍｅｎｔ）信号、ダウンリンクチャネル品質を示すＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｅｘ）、ＲＩ（Ｒａｎｋ  Ｉｎｄｉｃａｔｏｒ）等、多様な種類がある。
【０００７】
アップリンク伝送は、端末で行われるため、少ないバッテリ消耗のために低いＰＡＰＲ（Ｐｅａｋ−ｔｏ−Ａｖｅｒａｇｅ  Ｐｏｗｅｒ  Ｒａｔｉｏ）を有するようにすることが重要である。このためにアップリンク伝送は、単一搬送波（ｓｉｎｇｌｅ  ｃａｒｒｉｅｒ）特性を有する変調方式を選ぶことができる。サウンディング基準信号は、アップリンク制御情報と関連がないため、アップリンク制御チャネル上にサウンディング基準信号を伝送するようになれば、単一搬送波特性が保存され（ｐｒｅｓｅｒｖｅ）難い。また、アップリンク制御情報とサウンディング基準信号を別途に伝送するようになれば周波数効率を上げ難い。
【発明の概要】
【発明が解決しようとする課題】
【０００８】
本発明が解決しようとする技術的課題は、無線通信システムにおいてアップリンク制御情報とサウンディング基準信号を共に伝送する方法を提供することである。
【課題を解決するための手段】
【０００９】
一態様において、無線通信システムにおいてサウンディング基準信号伝送方法は、サブフレーム上でアップリンク制御情報を運ぶＰＵＣＣＨ（ｐｈｙｓｉｃａｌ  ｕｐｌｉｎｋ  ｃｏｎｔｒｏｌ  ｃｈａｎｎｅｌ）を生成し、前記サブフレームは、複数のＳＣ−ＦＤＭＡ（ｓｉｎｇｌｅ  ｃａｒｒｉｅｒ−ｆｒｅｑｕｅｎｃｙ  ｄｉｖｉｓｉｏｎ  ｍｕｌｔｉｐｌｅ  ａｃｃｅｓｓ）シンボルを含み、一つのＳＣ−ＦＤＭＡシンボルは、穿孔される段階、及び前記ＰＵＣＣＨ上の前記アップリンク制御情報と前記穿孔されたＳＣ−ＦＤＭＡシンボル上のサウンディング基準信号を同時に伝送する段階、を含む。
【００１０】
前記サブフレームは、二つのスロットで構成されて、前記ＰＵＣＣＨは、二つのスロットごとに一つの資源ブロックを使用することができる。また、前記アップリンク制御情報は、前記サブフレーム内の二つのスロットごとに相異する長さの直交シーケンスに拡散されることができる。
【００１１】
他の態様において、無線通信システムにおいてサウンディング基準信号伝送方法は、サブフレーム上でアップリンク制御情報を運ぶＰＵＣＣＨ（ｐｈｙｓｉｃａｌ  ｕｐｌｉｎｋ  ｃｏｎｔｒｏｌ  ｃｈａｎｎｅｌ）を生成し、前記サブフレームは、第１スロットと第２スロットを含み、一つのスロットは、複数のＳＣ−ＦＤＭＡシンボルを含む段階、及び前記ＰＵＣＣＨ上の前記アップリンク制御情報と前記第１スロット上の一つのＳＣ−ＦＤＭＡシンボル上のサウンディング基準信号を伝送する段階、を含む。前記アップリンク制御情報は、第１スロットで第１直交シーケンスにより拡散されて、第２スロットで第２直交シーケンスにより拡散されて、前記第１直交シーケンスの長さは前記第２直交シーケンスの長さより短い。
【００１２】
前記第１直交シーケンスは、直交シーケンスの集合｛（１，１，１），（１，ｅｊ２π／３，ｅｊ４π／３），（１，ｅｊ４π／３，ｅｊ２π／３）｝から選択されることができて、前記第２直交シーケンスは、直交シーケンスの集合｛（１，１，１，１），（１，−１，１，−１），（１，−１，−１，１）｝から選択されることができる。
【００１３】
もう一つの態様にともなう無線通信システムにおいてサウンディング基準信号受信方法は、複数のＳＣ−ＦＤＭＡシンボルで構成されて、一つのＳＣ−ＦＤＭＡシンボルは、穿孔されたＰＵＣＣＨ上でアップリンク制御情報を受信する段階、及び前記穿孔されたＳＣ−ＦＤＭＡシンボル上にサウンディング基準信号を受信する段階、を含む。
【発明の効果】
【００１４】
アップリンク制御情報とサウンディング基準信号を同時に伝送しても単一搬送波特性を保存することができて、端末のバッテリ消耗を縮めることができる。また、周波数効率が向上されて、サウンディング基準信号の伝送による基地局のスケジューリング負担を縮めることができる。
【図面の簡単な説明】
【００１５】
【図１】本発明の一実施例に係る伝送器を示したブロック図である。
【図２】ＳＣ−ＦＤＭＡ方式にともなう信号生成器を示したブロック図である。
【図３】無線フレームの構造を示す。
【図４】一つのアップリンクスロットに対する資源グリッド（ｒｅｓｏｕｒｃｅ  ｇｒｉｄ）を示した例示図である。
【図５】アップリンクサブフレームの構造を示す。
【図６】サブフレーム上のＡＣＫ／ＮＡＣＫチャネルの構造を示す。
【図７】サブフレーム上でＣＱＩチャネルの構造を示す。
【図８】サウンディング基準信号を伝送するサブフレームの一例を示す。
【図９】サウンディング基準信号と同時に伝送可能なＡＣＫ／ＮＡＣＫチャネルの構造を示す。
【図１０】サウンディング基準信号と同時に伝送可能なＣＱＩチャネルの構造を示す。
【図１１】サブフレーム上でサウンディング基準信号とＡＣＫ／ＮＡＣＫ情報の同時伝送を示した例示図である。
【図１２】二つの類型のＰＵＣＣＨを示した例示図である。
【図１３】基地局からのシグナリングの有無を、端末が自ら知っている場合とそうでない場合に対する説明のための例示図である。
【図１４】一つのサブフレーム上で類型１制御チャネルと類型２制御チャネルが共存しない一例を示す。
【図１５】一つのサブフレーム上で類型１制御チャネルと類型２制御チャネルが共存しない他の例を示す。
【図１６】他の形態の運営方法を説明するための例示図である。
【図１７】サウンディング指示子を用いたサウンディング基準信号伝送方法を示したフローチャートである。
【図１８】一つのサブフレーム上で類型１制御チャネルと類型２制御チャネルが共存する一例を示す。
【図１９】一つのサブフレーム上で類型１制御チャネルと類型２制御チャネルが共存する他の例を示す。
【図２０】基地局によるスケジューリング方法を示した例示図である。
【図２１】４個の端末グループに対するサウンディング基準信号を伝送する例を示す。
【図２２】９個の端末グループに対するサウンディング基準信号を伝送する例を示す。
【図２３】９個の端末グループに対するサウンディング基準信号を伝送する他の例を示す。
【図２４】サウンディング基準信号を伝送する一例を示す。
【図２５】サウンディング基準信号を伝送する他の例を示す。
【図２６】ＣＱＩチャネルを使用する時、類型１制御チャネルと類型２制御チャネルを示す。
【図２７】ＣＱＩとサウンディング基準信号を同時伝送する一例を示す。
【図２８】ＣＱＩとサウンディング基準信号を同時伝送する他の例を示す。
【発明を実施するための形態】
【００１６】
以下、ダウンリンク（ｄｏｗｎｌｉｎｋ）は、基地局（Ｂａｓｅ  Ｓｔａｔｉｏｎ、ＢＳ）から端末（Ｕｓｅｒ  Ｅｑｕｉｐｍｅｎｔ、ＵＥ）への通信を意味して、アップリンク（ｕｐｌｉｎｋ）は、端末から基地局への通信を意味する。ダウンリンクで、伝送器は基地局の一部分であり、受信機は端末の一部分である。アップリンクで、伝送器は端末の一部分であり、受信機は基地局の一部分である。端末は、固定される、或いは移動性を有することができて、ＭＳ（Ｍｏｂｉｌｅ  Ｓｔａｔｉｏｎ）、ＵＴ（Ｕｓｅｒ  Ｔｅｒｍｉｎａｌ）、ＳＳ（Ｓｕｂｓｃｒｉｂｅｒ  Ｓｔａｔｉｏｎ）、無線機器（ｗｉｒｅｌｅｓｓ  ｄｅｖｉｃｅ）等、他の用語とも呼ばれることがある。基地局は、一般的に端末と通信する固定された地点（ｆｉｘｅｄ  ｓｔａｔｉｏｎ）をいい、ノードＢ（Ｎｏｄｅ−Ｂ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語とも呼ばれることがある。一つの基地局には一つ以上のセルが存在することができる。
【００１７】
図１は、本発明の一実施例に係る伝送器を示したブロック図である。
【００１８】
図１を参照すると、伝送器（１００）は、サウンディング基準信号生成器（ｓｏｕｎｄｉｎｇ  ｒｅｆｅｒｅｎｃｅ  ｓｉｇｎａｌ  ｇｅｎｅｒａｔｏｒ、１１０）、制御チャネル生成器（ｃｏｎｔｒｏｌ  ｃｈａｎｎｅｌ  ｇｅｎｅｒａｔｏｒ、１２０）、データ処理器（ｄａｔａ  ｐｒｏｃｅｓｓｏｒ、１３０）、物理的資源マッパ（ｐｈｙｓｉｃａｌ  ｒｅｓｏｕｒｃｅ  ｍａｐｐｅｒ、１４０）及び信号生成器（ｓｉｇｎａｌ  ｇｅｎｅｒａｔｏｒ、１５０）を含む。
【００１９】
サウンディング基準信号生成器（１１０）は、サウンディング基準信号を生成する。基準信号には、復調基準信号（ｄｅｍｏｄｕｌａｔｉｏｎ  ｒｅｆｅｒｅｎｃｅ  ｓｉｇｎａｌ）とサウンディング基準信号（ｓｏｕｎｄｉｎｇ  ｒｅｆｅｒｅｎｃｅ  ｓｉｇｎａｌ）の二つの種類がある。復調基準信号は、データ復調のためのチャネル推定に使われて、サウンディング基準信号は、アップリンクスケジューリングに使われる。復調基準信号とサウンディング基準信号のために同じ基準信号シーケンスが使われることができる。
【００２０】
制御チャネル生成器（１２０）は、アップリンク制御情報を運ぶ（ｃａｒｒｙ）物理アップリンク制御チャネル（Ｐｈｙｓｉｃａｌ  Ｕｐｌｉｎｋ  Ｃｏｎｔｒｏｌ  Ｃｈａｎｅｅｌ、ＰＵＣＣＨ）を生成する。
【００２１】
データ処理部（１３０）は、使用者データに対する処理を遂行して、複素値シンボル（ｃｏｍｐｌｅｘ−ｖａｌｕｅｄ  ｓｙｍｂｏｌｓ）を生成する。物理的資源マッパ（１４０）は、サウンディング基準信号、制御チャネル及び／又は使用者データに対する複素値シンボルを物理的資源にマッピングする。物理的資源は、資源要素（ｒｅｏｕｒｃｅ  ｅｌｅｍｅｎｔ）または副搬送波になることがある。
【００２２】
信号生成器（１５０）は、送信アンテナ（１９０）を介して伝送される時間領域信号（ｔｉｍｅ  ｄｏｍａｉｎ  ｓｉｇｎａｌ）を生成する。信号生成器（１５０）は、ＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）方式に時間領域信号を生成することができて、このとき、信号生成器（１５０）で出力される時間領域信号をＳＣ−ＦＤＭＡシンボルまたはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）シンボルという。
【００２３】
以下、信号生成器（１５０）がＳＣ−ＦＤＭＡ方式を使用することを例示的に記述するが、本発明に適用される多重接続技法には制限がない。例えば、ＯＦＤＭＡ、ＣＤＭＡ（Ｃｏｄｅ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）及びＦＤＭＡ（Ｆｒｅｑｕｅｎｃｙ  Ｄｉｖｉｓｉｏｎ  Ｍｕｌｔｉｐｌｅ  Ａｃｃｅｓｓ）といったような、多様な多重接続技法を適用してもよい。
【００２４】
図２は、ＳＣ−ＦＤＭＡ方式にともなう信号生成器を示したブロック図である。
【００２５】
図２を参照すると、信号生成器（２００）は、ＤＦＴ（Ｄｉｓｃｒｅｔｅ  Ｆｏｕｒｉｅｒ  Ｔｒａｎｓｆｏｒｍ）を遂行するＤＦＴ部（２１０）、副搬送波マッパ（ｓｕｂｃａｒｒｉｅｒ  ｍａｐｐｅｒ、２３０）及びＩＦＦＴ（Ｉｎｖｅｒｓｅ  Ｆａｓｔ  Ｆｏｕｒｉｅｒ  Ｔｒａｎｓｆｏｒｍ）を遂行するＩＦＦＴ部（２４０）を含む。ＤＦＴ部（２２０）は、入力されるデータにＤＦＴを遂行して周波数領域シンボルを出力する。副搬送波マッパ（２３０）は、周波数領域シンボルを各副搬送波にマッピングさせて、ＩＦＦＴ部（２３０）は、入力されるシンボルに対してＩＦＦＴを遂行して時間領域信号を出力する。
【００２６】
図３は、無線フレームの構造を示す。
【００２７】
図３を参照すると、無線フレーム（ｒａｄｉｏ  ｆｒａｍｅ）は、１０個のサブフレーム（ｓｕｂｆｒａｍｅ）で構成されて、一つのサブフレームは、二つのスロット（ｓｌｏｔ）で構成される。一つのサブフレームの伝送にかかる時間をＴＴＩ（ｔｒａｎｓｍｉｓｓｉｏｎ  ｔｉｍｅ  ｉｎｔｅｒｖａｌ）といい、例えば、一つのサブフレームの長さは１ｍｓであり、一つのスロットの長さは０．５ｍｓである。一つのスロットは、時間領域（ｔｉｍｅ  ｄｏｍａｉｎ）で複数のＳＣ−ＦＤＭＡシンボルを含み、周波数領域で複数の資源ブロック（ｒｅｓｏｕｒｃｅ  ｂｌｏｃｋ）を含む。
【００２８】
無線フレームの構造は例示に過ぎず、無線フレームに含まれるサブフレームの数またはサブフレームに含まれるスロットの数、スロットに含まれるＳＣ−ＦＤＭＡシンボルの数は多様に変更してもよい。
【００２９】
図４は、一つのアップリンクスロットに対する資源グリッド（ｒｅｓｏｕｒｃｅ  ｇｒｉｄ）を示した例示図である。
【００３０】
図４を参照すると、アップリンクスロットは、時間領域で複数のＳＣ−ＦＤＭＡシンボルを含み、周波数領域で複数の資源ブロックを含む。ここで、一つのアップリンクスロットは、７ＳＣ−ＦＤＭＡシンボルを含み、一つの資源ブロックは、１２副搬送波を含むことを例示的に記述するが、これに制限されない。
【００３１】
資源グリッド上の各要素（ｅｌｅｍｅｎｔ）を資源要素（ｒｅｓｏｕｒｃｅ  ｅｌｅｍｅｎｔ）といい、一つの資源ブロックは、１２×７資源要素を含む。アップリンクスロットに含まれる資源ブロックの数ＮＵＬは、セルで設定されるアップリンク伝送帯域幅（ｂａｎｄｗｉｄｔｈ）に従属する。
【００３２】
図５は、アップリンクサブフレームの構造を示す。
【００３３】
図５を参照すると、アップリンクサブフレームは、アップリンク制御情報を運ぶＰＵＣＣＨ（Ｐｈｙｓｉｃａｌ  Ｕｐｌｉｎｋ  Ｃｏｎｔｒｏｌ  Ｃｈａｎｎｅｌ）が割り当てられる領域（ｒｅｇｉｏｎ）と、使用者データを運ぶＰＵＳＣＨ（Ｐｈｙｓｉｃａｌ  Ｕｐｌｉｎｋ  Ｓｈａｒｅｄ  Ｃｈａｎｎｅｌ）が割り当てられる領域と、に分けることができる。サブフレームの中間部分がＰＵＳＣＨに割り当てられて、データ領域の両側部分がＰＵＣＣＨに割り当てられる。一つの端末は、同時にＰＵＣＣＨとＰＵＳＣＨを伝送しない。
【００３４】
ＰＵＣＣＨ上で伝送されるアップリンク制御情報は、ＨＡＲＱ（Ｈｙｂｒｉｄ  Ａｕｔｏｍａｔｉｃ  Ｒｅｐｅａｔ  Ｒｅｑｕｅｓｔ）遂行に使われるＡＣＫ（Ａｃｋｎｏｗｌｅｄｇｅｍｅｎｔ）／ＮＡＣＫ（Ｎｏｔ−Ａｃｋｎｏｗｌｅｄｇｅｍｅｎｔ）信号、ダウンリンクチャネル状態を示すＣＱＩ（Ｃｈａｎｎｅｌ  Ｑｕａｌｉｔｙ  Ｉｎｄｉｃａｔｏｒ）、アップリンク無線資源割当要請であるスケジューリング要請信号などがある。
【００３５】
一つの端末に対するＰＵＣＣＨは、サブフレームで二つのスロットの各々で相異する周波数を占める一つの資源ブロックを使用する。二つのスロットは、サブフレーム内で相異する資源ブロック（または、副搬送波）を使用する。これをＰＵＣＣＨに割り当てられる２個の資源ブロックは、スロット境界（ｓｌｏｔ  ｂｏｕｎｄａｒｙ）で周波数跳躍（ｆｒｅｑｕｅｎｃｙ  ｈｏｐｐｉｎｇ）されるという。ここでは、ｍ＝０であるＰＵＣＣＨ、ｍ＝１であるＰＵＣＣＨ、ｍ＝２であるＰＵＣＣＨ、ｍ＝３であるＰＵＣＣＨの４個の端末に対するＰＵＣＣＨがサブフレームに割り当てられることを例示的に示す。
【００３６】
ＰＵＣＣＨは、多重フォーマットを支援することができる。即ち、変調方式（ｍｏｄｕｌａｔｉｏｎ  ｓｃｈｅｍｅ）に従ってサブフレーム当たり相異するビット数を有するアップリンク制御情報を伝送することができる。例えば、ＢＰＳＫ（Ｂｉｎａｒｙ  Ｐｈａｓｅ  Ｓｈｉｆｔ  Ｋｅｙｉｎｇ）を使用する場合、１ビットのアップリンク制御情報をＰＵＣＣＨ上に伝送することができて、ＱＰＳＫ（Ｑｕａｄｒａｔｕｒｅ  Ｐｈａｓｅ  Ｓｈｉｆｔ  Ｋｅｙｉｎｇ）を使用する場合、２ビットのアップリンク制御情報をＰＵＣＣＨ上に伝送することができる。
【００３７】
図６は、サブフレーム上のＡＣＫ／ＮＡＣＫチャネル構造を示す。ＡＣＫ／ＮＡＣＫチャネルは、ＰＵＣＣＨ上にＡＣＫ／ＮＡＣＫ信号が伝送される制御チャネルである。ＡＣＫ／ＮＡＣＫ信号は、１ビットまたはビットのアップリンク制御情報である。説明を明確にするために、一つのスロットは、７ＳＣ−ＦＤＭＡシンボルを含み、１サブフレームは、二つのスロットを含むこととする。予め割り当てられる帯域内で制御信号を伝送する時、多重化可能な端末数または制御チャネルの数を高めるために周波数領域拡散と時間領域拡散を同時に適用する。
【００３８】
図６を参照すると、一つのスロットに含まれる７ＳＣ−ＦＤＭＡシンボルのうち３ＳＣ−ＦＤＭＡシンボルには復調基準信号（ＲＳ）が載せ、残りの４ＳＣ−ＦＤＭＡシンボルにはＡＣＫ／ＮＡＣＫ信号が載せる。復調基準信号は、スロット中間の３個の隣接する（ｃｏｎｔｉｇｕｏｕｓ）ＳＣ−ＦＤＭＡシンボルに載せる。このとき、復調基準信号に使われるシンボルの個数及び位置は変わることができ、これと関連するＡＣＫ／ＮＡＣＫ信号に使われるシンボルの個数及び位置もそれに従って変更されることができる。ＡＣＫ／ＮＡＣＫ信号は、ダウンリンクデータに対する送信及び／又は受信確認信号である。
【００３９】
ＡＣＫ／ＮＡＣＫ信号を周波数領域で拡散させるために、周波数領域拡散符号を使用する。周波数領域拡散符号としては、第１直交付号を使用する。第１直交付号は、ＣＡＺＡＣ（Ｃｏｎｓｔａｎｔ  Ａｍｐｌｉｔｕｄｅ  Ｚｅｒｏ  Ａｕｔｏ−Ｃｏｒｒｅｌａｔｉｏｎ）シーケンスのうち一つであるＺａｄｏｆｆ−Ｃｈｕ（ＺＣ）シーケンスを使用しているが、これは例示に過ぎず、相関特性が優秀なその他のシーケンスを適用してもよい。特に、各制御チャネルは、相異する循環シフト（ｃｙｃｌｉｃ  ｓｈｉｆｔ）値を有するＺＣシーケンスを適用してチャネル区分をすることができる。
【００４０】
長さがＮであるＺＣシーケンスｃ（ｋ）の生成式は、下記の通りである。
【００４１】
【数１】
2010520699.tif 000003
ここで、０≦ｋ≦Ｎ−１であり、Ｍは、原始インデックス（ｒｏｏｔ  ｉｎｄｅｘ）であって、Ｎと互いに素（ｒｅｌａｔｉｖｅｌｙ  ｐｒｉｍｅ）であるＮ以下の自然数である。これはＮが決まれば原始インデックスの数が使用可能な原始ＺＣシーケンスの個数であることを意味する。
【００４２】
ＺＣシーケンスｃ（ｋ）は、下記の三つの特徴を有する。
【００４３】
【数２】
2010520699.tif 000004
【００４４】
【数３】
2010520699.tif 000005
【００４５】
【数４】
2010520699.tif 000006
式２は、ＺＣシーケンスは、常にその大きさが１であることを意味して、式３は、ＺＣシーケンスの自動相関（ａｕｔｏ  ｃｏｒｒｅｌａｔｉｏｎ）は、Ｄｉｒａｃ−ｄｅｌｔａ関数で表示されることを意味する。ここで自動相関は循環相関（ｃｉｒｃｕｌａｒ  ｃｏｒｒｅｌａｔｉｏｎ）に基づく。式４は、交差相関（ｃｒｏｓｓ  ｃｏｒｒｅｌａｔｉｏｎ）が常に定数であることを意味する。
【００４６】
周波数領域拡散されたＡＣＫ／ＮＡＣＫ信号は、ＩＦＦＴを遂行した後、再び時間領域拡散符号である第２直交付号を用いて時間領域で拡散される。第２直交付号は、ウォルシュ（Ｗａｌｓｈ）符号を使用することができて、ここでは４ＳＣ−ＦＤＭＡシンボルに対して各々４個のウォルシュ符号（ｗ０，ｗ１，ｗ２，ｗ３）を用いて拡散する。ここでは、第２直交符号としてウォルシュ符号を適用しているが、ＺＣシーケンスなど相関特性が優秀な他の符号を使用してもよい。
【００４７】
周波数領域拡散を遂行した後、時間領域拡散を遂行することは例示に過ぎず、周波数領域拡散と時間領域拡散の順序は制限がない。時間領域拡散を先にして周波数領域拡散を遂行してもよく、一つの結合された形態のシーケンスを用いて周波数領域拡散と時間領域拡散を同時に処理してもよい。
【００４８】
周波数領域拡散符号である第１直交符号としてＺＣシーケンスを使用して、時間領域拡散符号である第２直交符号としてウォルシュ符号を使用しているが、拡散符号には制限がなく、ＤＦＴ符号やその他相関特性の良い符号を使用することができる。
【００４９】
制御情報に対して周波数領域及び時間領域における２次元拡散を介して支援可能な端末の数を高めることができる。ＺＣシーケンスを用いて周波数領域拡散を適用する場合、循環シフト（ｃｙｃｌｉｃ  ｓｈｉｆｔ）を介して６個の直交付号を使用することができると仮定する。３復調基準信号に対しては、時間領域にＤＦＴ基盤の拡散符号を適用することによって、総６×３＝１８端末を支援することができる。このとき、伝送されるＡＣＫ／ＮＡＣＫ信号は、長さ４の直交付号を時間領域拡散符号として使用してコヒーレント検出が可能である。
【００５０】
図７は、サブフレーム上でＣＱＩチャネルの構造を示す。ＣＱＩチャネルは、ＰＵＣＣＨ上でＣＱＩが伝送される制御チャネルである。
【００５１】
図７を参照すると、一つのスロットに含まれる７ＳＣ−ＦＤＭＡシンボルのうち３ＳＣ−ＦＤＭＡシンボル間隔だけ離れた２ＳＣ−ＦＤＭＡシンボルには復調基準信号（ＲＳ）が載せ、残りの５ＳＣ−ＦＤＭＡシンボルにはＣＱＩが載せる。提示された値は例示に過ぎず、復調基準信号に使われるＳＣ−ＦＤＭＡシンボルの個数や位置、ＣＱＩに使われるシンボルの個数や位置は変更されてもよい。１ＳＣ−ＦＤＭＡシンボルに対してＱＰＳＫ（Ｑｕａｄｒａｔｕｒｅ  Ｐｈａｓｅ  Ｓｈｉｆｔ  Ｋｅｙｉｎｇ）マッピングを使用する場合、２ビットのＣＱＩ値が載せることができるため、一つのスロットに１０ビットのＣＱＩ値を載せることができる。１サブフレームに対しては最大２０ビットのＣＱＩ値を載せることができる。ＣＱＩに使われる変調方式は、ＱＰＳＫ以外にも、他の変調方式、例えば１６−ＱＡＭなどを適用してもよい。
【００５２】
ＣＱＩを周波数領域で拡散させるために、周波数領域拡散符号を使用する。周波数領域拡散符号としては、ＺＣシーケンスを使用することができる。
【００５３】
ＡＣＫ／ＮＡＣＫチャネルで２次元拡散を適用することと違って、ＣＱＩチャネルは、１次元拡散のみを適用して、ＣＱＩの伝送容量を増加させる。ここでは周波数領域拡散のみを例えて記述しているが、ＣＱＩチャネルに時間領域拡散を適用することができる。
【００５４】
一つの制御チャネルには一種類の制御信号だけでなく、他の種類の制御信号が多重化されることができる。例えば、一つの制御チャネルにＣＱＩとＡＣＫ／ＮＡＣＫ信号が多重化されてもよい。
【００５５】
以下、サウンディング基準信号を伝送するためのサブフレームの構造と制御チャネルの構造に対して記述する。
【００５６】
図８は、サウンディング基準信号を伝送するサブフレームの一例を示す。これはアップリンクサブフレームを示すことができる。
【００５７】
図８を参照すると、サウンディング基準信号は、１ＳＣ−ＦＤＭＡシンボル上で伝送される。然しながら、サウンディング基準信号が配置されるＳＣ−ＦＤＭＡシンボルの位置や数は制限がなく、サウンディング基準信号は、２以上のＳＣ−ＦＤＭＡシンボル上に配置されてもよい。サウンディング基準信号は、アップリンクスケジューリングのために、端末が基地局にアップリンクチャネル応答をできるだけ正確に測定するように伝送する信号である。サウンディング基準信号は、一度に全アップリンク周波数帯域にわたって伝送されてもよく、または、複数個の周波数帯域に分けて順に伝送されてもよい。
【００５８】
サウンディング基準信号は、一つのサブフレーム上で１ＳＣ−ＦＤＭＡシンボルを占めるため、二つのスロットのうち一つのスロットにサウンディング基準信号が配置される。ただし、システムに従って、サブフレームごとに必ずサウンディング基準信号を送る必要はない。サウンディング基準信号は、周期的にまたは非周期的に伝送されてもよい。
【００５９】
同じ端末は、同時にＰＵＣＣＨとＰＵＳＣＨを伝送することができないため、端末は、サウンディング基準信号とＰＵＣＣＨを同時に伝送することができて、または、サウンディング基準信号とＰＵＳＣＨを同時に伝送することができるが、サウンディング基準信号、ＰＵＣＣＨ及びＰＵＳＣＨを同時に伝送することはできない。
【００６０】
第２スロットに隣接する第１スロットのＳＣ−ＦＤＭＡシンボルにサウンディング基準信号を配置することができる。然しながら、これは例示に過ぎず、サウンディング基準信号は、第１スロット上のＳＣ−ＦＤＭＡシンボルのうちどこでも配置可能である。例えば、サウンディング基準信号は、サブフレームの最初のＳＣ−ＦＤＭＡシンボルまたは最後のＳＣ−ＦＤＭＡシンボルに割り当てられてもよい。
【００６１】
制御チャネルを介して伝送される制御情報の直交性を維持するために、サウンディング基準信号が伝送されるＳＣ−ＦＤＭＡシンボルには復調基準信号や他の制御情報が多重化されてはならない。即ち、ＡＣＫ／ＮＡＣＫチャネルやＣＱＩチャネルにおいて、サウンディング基準信号が配置されるＳＣ−ＦＤＭＡシンボルにはＡＣＫ／ＮＡＣＫ信号、ＣＱＩまたは復調基準信号のいずれも配置されないようにチャネル形式を設計してシステムを運用する、或いは制御情報とサウンディング基準信号が同時に重なる資源領域が発生しないように運用しなければならない。このために、サウンディング基準信号が割り当てられる資源領域（ｅ．ｇ．ＳＣ−ＦＤＭＡシンボル）にＡＣＫ／ＮＡＣＫ信号またはＣＱＩが事前に配置されていると、重なる資源領域部分を穿孔（ｐｕｎｃｔｕｒｉｎｇ）する。
【００６２】
サウンディング基準信号は、ＰＵＣＣＨが割り当てられる資源ブロックを介しては伝送されないようにしてもよく、または、サウンディング基準信号は、ＰＵＣＣＨが割り当てられる資源ブロックを介して伝送されてもよい。
【００６３】
図９は、サウンディング基準信号と同時に伝送可能なＡＣＫ／ＮＡＣＫチャネルの構造を示す。
【００６４】
図９を参照すると、第１スロットの一つのＳＣ−ＦＤＭＡシンボル上にサウンディング基準信号が伝送される。ＡＣＫ／ＮＡＣＫ信号伝送のためのＳＣ−ＦＤＭＡシンボルのうち一つを穿孔し、二つのスロット間にＡＣＫ／ＮＡＣＫ信号が非対称的に拡散される。第１スロットでは３ＳＣ−ＦＤＭＡシンボルにわたってＡＣＫ／ＮＡＣＫ信号が拡散されて、第２スロットでは４ＳＣ−ＦＤＭＡシンボルにわたってＡＣＫ／ＮＡＣＫ信号が拡散されるためである。
【００６５】
一対のスロットは、相異する長さの直交シーケンスを介して拡散される。例えば、第１スロットでは、拡散シーケンス（ｗ０，ｗ１，ｗ２）を拡散シーケンス集合｛（１，１，１），（１，ｅｊ２π／３，ｅｊ４π／３），（１，ｅｊ４π／３，ｅｊ２π／３）｝から選択することができる。第２スロットでは、拡散シーケンス（ｗ’０，ｗ’１，ｗ’２，ｗ’３）を拡散シーケンス集合｛（１，１，１，１），（１，−１，１，−１），（１，−１，−１，１）｝から選択することができる。
【００６６】
サウンディング基準信号は、ＺＣシーケンスを使用することができて、ＩＦＦＴを経てＳＣ−ＦＤＭＡシンボルにマッピングされる。ここではサウンディング基準信号として周波数領域信号を使用する例として、サウンディング基準信号に対してＩＦＦＴを遂行するが、時間領域信号をサウンディング基準信号として使用する場合、ＩＦＦＴを遂行しなくてもよい。
【００６７】
ＡＣＫ／ＮＡＣＫチャネルでＡＣＫ／ＮＡＣＫ信号は、時間領域と周波数領域で共に拡散されるため、ＡＣＫ／ＮＡＣＫ信号の直交性を格納するために、サウンディング基準信号が伝送されるＳＣ−ＦＤＭＡシンボル上には他の端末もＡＣＫ／ＮＡＣＫ信号を伝送してはならない。即ち、サウンディング基準信号とＡＣＫ／ＮＡＣＫ信号が同時に伝送される場合、セル内の端末は、全て同じ穿孔構造のＡＣＫ／ＮＡＣＫチャネルを使用しなければならない。
【００６８】
ここでは、第１スロットの最後のＳＣ−ＦＤＭＡシンボルがサウンディング基準信号のために穿孔されているが、穿孔されるＳＣ−ＦＤＭＡシンボルの位置を制限することではない。サウンディング基準信号のために、第１スロットの最初のＳＣ−ＦＤＭＡシンボルや第２スロットの最後のＳＣ−ＦＤＭＡシンボルが穿孔されてもよい。
【００６９】
図１０は、サウンディング基準信号と同時に伝送可能なＣＱＩチャネルの構造を示す。
【００７０】
図１０を参照すると、第１スロットの一つのＳＣ−ＦＤＭＡシンボル上にサウンディング基準信号が伝送される。ＣＱＩ伝送のためのＳＣ−ＦＤＭＡシンボルのうち一つを穿孔する。一つのサブフレーム内でＣＱＩが非対称的に拡散される。第１スロットでは、４ＳＣ−ＦＤＭＡシンボルにわたってＣＱＩが拡散されて、第２スロットでは、５ＳＣ−ＦＤＭＡシンボルにわたってＣＱＩが拡散されるためである。
【００７１】
サウンディング基準信号は、ＺＣシーケンスを使用することができて、ＩＦＦＴを経てＳＣ−ＦＤＭＡシンボルにマッピングされる。ＡＣＫ／ＮＡＣＫチャネルと違って、ＣＱＩは、周波数領域でのみ拡散されるため、一つの端末がサウンディング基準信号をＣＱＩと同時に伝送するとしても、他の端末は、既存のＣＱＩチャネルをそのまま使用することができる。サウンディング基準信号とＣＱＩが同時に伝送されるとしても、セル内の端末が全て同じ構造のＣＱＩチャネルを使用する必要はない。
【００７２】
前述のように、サウンディング基準信号と同時に伝送されることができる制御チャネルの構造とサウンディング基準信号と同時に伝送されない制御チャネルの構造とは相異する。サウンディング基準信号と同時に伝送されない制御チャネルにおいて、図６ないし図７の実施例に示した通り、制御情報に対して各スロットに割り当てられる資源領域の大きさは全て同一であるため、対称（ｓｙｍｍｅｔｒｉｃ）制御チャネルまたは類型（ｔｙｐｅ）１制御チャネルという。これと比較し、サウンディング基準信号と同時に伝送される制御チャネルにおいて、図９ないし図１０の実施例に示した通り、制御情報に対して各スロットに割り当てられる資源領域の大きさは相異するため、非対称（ａｓｙｍｍｅｔｒｉｃ）制御チャネルまたは類型２制御チャネルという。
【００７３】
以下、サウンディング基準信号と制御チャネルの運営（ｏｐｅｒａｔｉｏｎ）に対して記述する。
【００７４】
提案されたＰＵＣＣＨ構造によると、サウンディング基準信号の伝送される資源領域（即ち、ＳＣ−ＦＤＭＡシンボル）は制御情報を穿孔して、同じ資源領域上に制御情報とサウンディング基準信号を同時に（ｓｉｍｕｌｔａｎｅｏｕｓｌｙ）伝送しないようにする。例えば、ＡＣＫ／ＮＡＣＫ信号とサウンディング基準信号を同じＳＣ−ＦＤＭＡシンボル上で同時に伝送せず、ＣＱＩとサウンディング基準信号を同じＳＣ−ＦＤＭＡシンボル上で同時に伝送せず、ＡＣＫ／ＮＡＣＫ信号とＣＱＩが多重化された信号とサウンディング基準信号を同じＳＣ−ＦＤＭＡシンボル上で同時に伝送しない。ここで、‘同時に’は、時間領域及び／又は周波数資源領域で信号が重なって伝送されることを意味して、必ず時間領域に限定することではない。
【００７５】
サウンディング基準信号を伝送するＳＣ−ＦＤＭＡシンボルをサウンディングＳＣ−ＦＤＭＡシンボルとする時、サウンディングＳＣ−ＦＤＭＡシンボルにはサウンディング基準信号のみを伝送する。サウンディングＳＣ−ＦＤＭＡシンボルは、ＰＵＣＣＨ上で一つのＳＣ−ＦＤＭＡシンボルが穿孔されたものである。サウンディング基準信号の伝送にともなう影響を受けた資源領域内で、該当端末（ＣＱＩチャネルの場合）または全ての端末（ＡＣＫ／ＮＡＣＫチャネルの場合）は、サウンディングＳＣ−ＦＤＭＡシンボルを除いた残りのＳＣ−ＦＤＭＡシンボルを用いて制御チャネルを構成する。
【００７６】
図１１は、サブフレーム上でサウンディング基準信号とＡＣＫ／ＮＡＣＫ情報の同時伝送を示した例示図である。
【００７７】
図１１を参照すると、第１端末（ＵＥ１）がサウンディングＳＣ−ＦＤＭＡシンボル上にサウンディング基準信号（ＳＲＳ）を伝送する場合、ＳＣ−ＦＤＭＡの単一搬送波特性を格納するために、第１端末（ＵＥ１）は、サウンディングＳＣ−ＦＤＭＡシンボル上にＡＣＫ／ＮＡＣＫ信号を伝送しない。また、他の端末は、直交性を維持するために、サウンディングＳＣ−ＦＤＭＡシンボル上にサウンディング基準信号を伝送することができない。
【００７８】
ＡＣＫ／ＮＡＣＫ信号とサウンディング基準信号を同時伝送する場合、他の端末との直交性を維持するためには、他の端末がサウンディングＳＣ−ＦＤＭＡシンボルが伝送される時間上に他の制御情報を伝送してはならない。また、周波数領域も重ならないようにしなければならない。
【００７９】
サウンディング基準信号とアップリンク制御情報（特にＡＣＫ／ＮＡＣＫ信号）を多重化して伝送するために、下記のような多様な方法が可能である。
【００８０】
（第１実施例：二つの類型のＰＵＣＣＨ運営）
一つのサブフレーム上にサウンディング基準信号と同時に存在可能であるか否かに従って、二つの類型（ｔｙｐｅ）のＰＵＣＣＨを定義する。例えば、サウンディング基準信号と同時に存在することができない類型１制御チャネル（または、対称制御チャネル）とサウンディング基準信号と同時に存在することができる類型２制御チャネル（または、非対称制御チャネル）を定義することができる。
【００８１】
図１２は、二つの類型のＰＵＣＣＨを示した例示図である。類型１制御チャネルは、任意のサブフレームの少なくとも一つの資源ブロックで、ＡＣＫ／ＮＡＣＫチャネルと同時にサウンディング基準信号（ＳＲＳ）の伝送が必要でない時、ＡＣＫ／ＮＡＣＫ信号に使われる一般的ＰＵＣＣＨである。類型１制御チャネルが使われるサブフレームの間、該当する資源ブロックを介して、他の端末は、サウンディング基準信号を伝送することができない。類型２制御チャネルは、サウンディング基準信号の伝送を考慮した追加的なＰＵＣＣＨである。サウンディング基準信号の伝送のために穿孔されるＳＣ−ＦＤＭＡシンボルを含む第１スロットでＡＣＫ／ＮＡＣＫ信号を伝送する領域の拡散係数（ｓｐｒｅａｄｉｎｇ  ｆａｃｔｏｒ、ＳＦ）は３であり、第２スロットでＡＣＫ／ＮＡＣＫ信号を伝送する領域の拡散係数は４である。
【００８２】
サウンディング基準信号を基地局が成功的に受信するためには、端末が類型１制御チャネルと類型２制御チャネルを同じ資源ブロックでお互いに混用して使用しないようにするスケジューリング、或いは予め決まった約束が必要である。相異する資源ブロックでは各々相異する類型を使用することができる。
【００８３】
図１３は、基地局からのシグナリングの有無を端末が自ら知っている場合とそうでない場合に対する説明のための例示図である。もし、セル内の端末が自分だけでなく他の端末のサウンディング基準信号の伝送タイミングを知っていると、別途のスケジューリングまたはシグナリングが必要でない。端末が自動的に（ａｕｔｏｎｏｍｏｕｓｌｙ）サウンディング基準信号の伝送タイミングに基づいてＰＵＣＣＨ類型を選択することができるためである。セル内の端末は、最初のサブフレームで類型２制御チャネル上のＡＣＫ／ＮＡＣＫ信号とサウンディング基準信号（ＳＲＳ）を同時に伝送して、Ｎ番目サブフレームで類型１制御チャネル上のＡＣＫ／ＮＡＣＫ信号を伝送する。このとき、一つのサブフレーム上で類型１制御チャネルと類型２制御チャネルが共存（ｃｏｅｘｉｓｔ）しない。
【００８４】
図１４は、一つのサブフレーム上で類型１制御チャネルと類型２制御チャネルが共存しない一例を示す。第Ｎサブフレームで類型１制御チャネルを使用すると、サウンディング基準信号を伝送しない。第Ｎ＋１サブフレームで類型２制御チャネルを使用すると、アップリンク制御情報とサウンディング基準信号を同時に伝送することができる。
【００８５】
追加的に図１３及び図１４の実施例で制御チャネルの類型別に比率を事前に決めてシステムを運用することができる。例えば、最初に、類型１制御チャネルを使用すると、２番目及び３番目の類型２制御チャネルを使用して、類型１制御チャネルと類型２制御チャネルが１：２比率になるようにする。または、相互交互に類型１制御チャネルと類型２制御チャネルが１：１比率または異なる比率になるように多様に運用することができる。
【００８６】
図１５は、一つのサブフレーム上で類型１制御チャネルと類型２制御チャネルが共存しない他の例を示す。第Ｎサブフレームで類型１制御チャネルを使用すると、サウンディング基準信号を伝送しない。第Ｎ＋１サブフレームで類型２制御チャネルを使用すると、アップリンク制御情報とサウンディング基準信号を同時に伝送することができる。このとき、類型２制御チャネルでサウンディングＳＣ−ＦＤＭＡシンボルは穿孔されるため、サウンディング基準信号は、ＰＵＣＣＨ領域とＰＵＳＣＨ領域にわたって一度に伝送されることができる。これは制御チャネルの数が増加して複数の資源ブロックを使用すべき場合、また、周波数上の両方が非対称的に割り当てられなければならない場合のような一般的な状況でサウンディング基準信号を如何に送るのがよいかを例示したことである。この場合、サウンディング基準信号は帯域全体にわたって送る。
【００８７】
図１６は、他の形態の運営方法を説明するための例示図である。基地局は、システム情報のようなシグナリングを介して各端末で使用可能な制御チャネルを知らせる。例えば、グループ１に属する端末は、類型１制御チャネルを使用して、グループ２に属する端末は、類型２制御チャネルを使用するように知らせることができる。従って、一つのサブフレーム上で類型１制御チャネルと類型２制御チャネルが共存することができる。この場合、サウンディング基準信号は、制御チャネルが使用する領域を除いた残りの領域（例、内側領域）にのみ伝送する。残りの領域に対する正確な正義は多様である。これは制御チャネルの使用する資源ブロックの数が変動されるため、変動されることを反映してサウンディング基準信号の帯域幅も連動して変わるように定義する、或いは任意の内側帯域を決めておいて運用することができる。これはサウンディング帯域の運営の便宜性に従って、異に運営することができる。例えば、Ｎ個の全体資源ブロックのうちＭ資源ブロックを制御チャネルが使用すると、サウンディング基準信号は、大略的にＮ−Ｍのサウンディング帯域を用いて伝送する。然しながら、Ｎ−Ｍ値に正確に合わせて運用することが難しいことがあるため、それと類似の値を用いてサウンディング信号の伝送及び多重化を容易にすることができる。
【００８８】
基地局が端末に制御チャネルの形態を知らせるフィールドをサウンディング指示子（ｓｏｕｎｄｉｎｇ  ｉｎｄｉｃａｔｏｒ）という。サウンディング指示子は、システム情報の一部であり、ブロードキャストチャネル、ダウンリンク制御チャネル及びＲＲＣ（Ｒａｄｉｏ  Ｒｅｓｏｕｒｃｅ  Ｃｏｎｔｒｏｌ）メッセージなどを介して送ることができる。サウンディング指示子は、周期的または非周期的に伝送されることができて、端末からの要請に関係なく、或いは要請に従って伝送されることができる。
【００８９】
サウンディング指示子のビット数は制限がないが、二つの形態の制御チャネルがあるため、１ビットで表現することができる。１ビットのサウンディング指示子は、‘ＯＮ’または‘ＯＦＦ’の値を有することができ、‘ＯＮ’は非対称制御チャネルの使用を指示し、‘ＯＦＦ’は対称制御チャネルの使用を指示する。これは‘ＯＮ’の場合、端末は、非対称制御チャネル上のアップリンク制御情報とサウンディングＳＣ−ＦＤＭＡシンボル上のサウンディング基準信号を同時に伝送することができることを意味する。
【００９０】
図１７は、サウンディング指示子を用いたサウンディング基準信号伝送方法を示したフローチャートである。段階Ｓ３１０で、基地局は、端末にサウンディング指示子を伝送する。段階Ｓ３２０で、端末はサウンディング指示子の内容に従って、下記のような動作を遂行することができる。
【００９１】
サウンディング指示子が‘ＯＮ’の場合、端末は、次のように動作する。（１）アップリンク制御情報（ｅ．ｇ．ＡＣＫ／ＮＡＣＫ信号）を伝送しようとすると、サウンディングＳＣ−ＦＤＭＡシンボルが穿孔されたＰＵＣＣＨ（即ち、非対称制御チャネル）を介してアップリンク制御情報を伝送して、同時にサウンディングＳＣ−ＦＤＭＡシンボルを介してサウンディング基準信号を伝送する。（２）アップリンクデータのある場合、ＰＤＳＣＨを介してアップリンクデータ及び／又は制御信号を伝送する。ただし、一つのサブフレームでサウンディング基準信号が伝送されるＳＣ−ＦＤＭＡシンボルにはアップリンクデータまたは制御信号を送らない。然しながら、実際サウンディング基準信号の伝送される帯域は、指定された帯域より小さい可能性が存在するため、もし、サウンディング基準信号を伝送して残る資源があると、これを知らせてデータ伝送に用いてもよい。
【００９２】
サウンディング指示子が‘ＯＦＦ’の場合、端末は、次のように動作する。（１）アップリンク制御情報を伝送しようとすると、一般的ＰＵＣＣＨ（即ち、対称制御チャネル）を介してアップリンク制御情報を伝送する。（２）アップリンクデータのある場合、ＰＤＳＣＨを介してアップリンクデータ及び／又は制御情報を伝送する。
【００９３】
図１８は、一つのサブフレーム上で類型１制御チャネルと類型２制御チャネルが共存する一例を示す。類型２制御チャネルでサウンディングＳＣ−ＦＤＭＡシンボルは穿孔されるため、サウンディング基準信号は、前記サウンディングＳＣ−ＦＤＭＡシンボル上でＰＵＳＣＨ領域とＰＵＣＣＨ領域にわたって伝送されることができる。ただし、類型１制御チャネル領域を介してはサウンディング基準信号は伝送されない。
【００９４】
図１９は、一つのサブフレーム上で類型１制御チャネルと類型２制御チャネルが共存する他の例を示す。類型１制御チャネルが追加されることによってサウンディングＳＣ−ＦＤＭＡシンボル上でサウンディング基準信号が伝送される領域が減る。
【００９５】
（第２実施例：基地局によるスケジューリング）
基地局は、端末がＰＵＣＣＨ上のアップリンク制御情報とサウンディング基準信号を同時に伝送しないようにスケジューリングする。
【００９６】
図２０は、基地局によるスケジューリング方法を示した例示図である。例えば、第１端末（ＵＥ１）があるサブフレーム上でサウンディング基準信号を伝送しようとする時、基地局は、前記サブフレーム上で第１端末（ＵＥ１）がＰＵＣＣＨ上にＡＣＫ／ＮＡＣＫ信号を伝送することを防ぐ。その代りに、基地局は、前記第１端末（ＵＥ１）を除いた他の端末が前記サブフレーム上でＡＣＫ／ＮＡＣＫ信号を伝送するようにスケジューリングする。即ち、基地局は、一つの端末が一つのサブフレーム上でサウンディング基準信号とＰＵＣＣＨ上のアップリンク制御情報が同時に伝送できないようにスケジューリングする。これは別途のシグナリングを介して行われてもよく、予め約束されたサウンディング基準信号の伝送を介して行われてもよい。
【００９７】
それに対し、基地局は、第１端末（ＵＥ１）のためのダウンリンク伝送の制限を願わないと、前記サブフレーム上でサウンディング基準信号の伝送を防ぐこともできる。
【００９８】
（第３実施例：単一類型のＰＵＣＣＨ運営）
アップリンク制御情報とサウンディング基準信号が同じ資源領域を介して伝送されないように設計されたＰＵＣＣＨを使用することができる。サウンディング基準信号の伝送如何と関係なしに常に一定の構造のＰＵＣＣＨを使用する。即ち、サウンディング基準信号の伝送有無に関係なしにサウンディング基準信号が伝送されることと約束された資源領域（ｅ．ｇ．ＳＣ−ＦＤＭＡシンボル（ら））に対しては常にサウンディング基準信号が伝送されると仮定し、該当資源領域は、サウンディング基準信号伝送用にのみ使用し、制御信号は、その以外の資源領域にのみ伝送されることができるようにＰＵＣＣＨ構造を指定して使用する。
【００９９】
このために前述した非対称制御チャネル構造を固定されたＰＵＣＣＨ構造として使用することができる。例えば、ＡＣＫ／ＮＡＣＫチャネルで、第１スロットは、３個の復調基準信号シンボルと３個のＡＣＫ／ＮＡＣＫシンボルを使用して、残りの１個のシンボルは、サウンディング基準信号専用に穿孔する。第２スロットは、３個の復調基準信号シンボルと４個のＡＣＫ／ＮＡＣＫシンボルを使用する。
【０１００】
（第４実施例）
端末を複数のグループに区分して、グループ基盤としてサウンディング基準信号を伝送することができる。サウンディング基準信号を伝送する端末グループは、該当サブフレームで制御信号を伝送しない。
【０１０１】
図２１は、４個の端末グループに対するサウンディング基準信号を伝送する例を示す。端末を４グループ（第１グループ、第２グループ、第３グループ、第４グループ）に分けて運用する場合である。各グループに含まれる端末の数は少なくても一つである。４個のグループは例示に過ぎず、限定することではない。
【０１０２】
図２１を参照すると、第１サブフレームで、第１グループに属する端末のうち少なくとも一つの端末がサウンディング基準信号を伝送すると仮定する。第１サブフレームで、第１グループに属する端末は、制御チャネルを割り当てらず、残りの第２、３、４グループに属する端末に制御チャネルを割り当てる。サウンディング基準信号は、制御チャネル以外の資源領域に限定されて伝送される。制御信号とサウンディング基準信号は、同時に同じ資源領域で多重化されないという原則に違反されない実施例である。
【０１０３】
同様に、第２サブフレームで、第２グループに属する端末がサウンディング基準信号を伝送して、第１、３、４グループに属する端末に制御チャネルを割り当てる。第３サブフレームで、第３グループに属する端末がサウンディング基準信号を伝送して、第１、２、４グループに属する端末に制御チャネルを割り当てる。第４サブフレームで、第４グループに属する端末がサウンディング基準信号を伝送して、第１、２、３グループに属する端末に制御チャネルを割り当てる。
【０１０４】
こういう方法により、４個のサブフレームを伝送すると、全てのグループに対するサウンディング基準信号を伝送することができる。
【０１０５】
図２２は、９個の端末グループに対するサウンディング基準信号を伝送する例を示す。図２１の実施例に比べて、さらに多くのグループ（第１ないし第９グループ）があり、さらに多くの資源ブロック（ｒｅｓｏｕｒｃｅ  ｂｌｏｃｋ、ＲＢ）が制御領域に割り当てられた場合である。
【０１０６】
図２２を参照すると、第１サブフレームで、第１グループのサウンディング基準信号が伝送されると、第１グループを除いた残りのグループ、即ち、第２グループないし第９グループに属する端末は、サウンディング基準信号が伝送される間にも制御チャネル上の制御情報を伝送することができる。ただし、第１グループのサウンディング基準信号と他のグループの制御チャネルは、同時に同じ資源領域を使用せず、お互いに排他的な資源領域を使用する。第２グループないし第９グループに対する制御チャネルに割り当てられる資源領域は例示に過ぎず、その配置を限定することではない。
【０１０７】
第２サブフレームで、第２グループのサウンディング基準信号が伝送されると、第２グループを除いた残りのグループ、即ち、第１グループ、第３ないし第９グループに属する端末は、サウンディング基準信号が伝送される間にも制御チャネル上の制御情報を伝送することができる。第１サブフレームと違って、制御領域に割り当てられる資源ブロックの数が両方で一つずつ減って、制御領域内に割り当てられるグループのインデックスも変わることができることを示している。
【０１０８】
図２３は、９個の端末グループに対するサウンディング基準信号を伝送する他の例を示す。
【０１０９】
図２３を参照すると、第１サブフレームで、第１グループのサウンディング基準信号が伝送されると、第１グループを除いた残りのグループ、即ち、第２グループないし第９グループに属する端末は、サウンディング基準信号が伝送される間にも制御チャネル上の制御情報を伝送することができる。図１１の実施例と比較して、第１スロットと第２スロットで残りのグループに対する制御チャネルが周波数領域で対称に配置される。
【０１１０】
スケジューリングは、サブフレームごとに遂行することができるため、サブフレームごとに制御領域に割り当てられる資源ブロックの数、制御信号を伝送するグループのインデックス、また、サウンディング基準信号を伝送するシンボル位置またはグループ、資源領域範囲などは随時変わる。
【０１１１】
前記方法は、基本的にサブフレーム単位に構成を変更することができるため、これを支援するように設計されなければならない。もし、制御領域に割り当てられた資源ブロックの数が変わると、これと関連するサウンディング基準信号に割り当てられる資源領域も変わることができる。制御領域に割り当てられる資源ブロックの数が増加すると、サウンディング基準信号に割り当てられる資源領域の大きさが減ることができる。このようにサウンディング基準信号に割り当てられた資源領域が減ると、各端末のサウンディング基準信号間に適用される端末間多重化方式も変わる。即ち、サウンディング基準信号間の多重化方式及びホッピング（ｈｏｐｐｉｎｇ）方式などが変更されなければならない。このような情報は、ダウンリンクシグナリングを介して伝達されてもよく、またはアップリンク制御チャネル割当と関連する情報を使用して得えてよい。
【０１１２】
以下、サウンディング基準信号とアップリンク制御情報を多重化して伝送する多様な例を記述する。
【０１１３】
図２４は、サウンディング基準信号を伝送する一例を示す。類型２制御チャネルを介して制御情報を伝送して、同時に穿孔されたサウンディングＳＣ−ＦＤＭＡシンボルを介してサウンディング基準信号を伝送する時、ＰＵＣＣＨ領域だけでなくＰＵＳＣＨ領域にわたってサウンディング基準信号を伝送することができる。
【０１１４】
図２５は、サウンディング基準信号を伝送する他の例を示す。これは類型２制御チャネルを使用する時、サウンディングＳＣ−ＦＤＭＡシンボル上で全体帯域にわたってサウンディング基準信号を伝送することを示す。
【０１１５】
図２６は、ＣＱＩチャネルを使用する時、類型１制御チャネルと類型２制御チャネルを示す。類型１制御チャネルは、サウンディング基準信号（ＳＲＳ）の伝送が必要でない時、ＣＱＩに使われる一般的ＰＵＣＣＨである。類型１制御チャネルが使われるサブフレームの間、他の端末は全体帯域幅にわたってサウンディング基準信号を伝送することができない。類型２制御チャネルは、サウンディング基準信号の伝送を考慮した追加的なＰＵＣＣＨである。サウンディング基準信号の伝送のために穿孔されるＳＣ−ＦＤＭＡシンボルが第１スロットに配置されるとする時、ＣＱＩ伝送のために使われるＳＣ−ＦＤＭＡシンボルの数は、第１スロットで４であり、第２スロットで５である。
【０１１６】
図２７は、ＣＱＩとサウンディング基準信号を同時伝送する一例を示す。類型２制御チャネルで、サウンディングＳＣ−ＦＤＭＡシンボルは穿孔されるため、サウンディング基準信号は、前記サウンディングＳＣ−ＦＤＭＡシンボル上でＰＵＳＣＨ領域とＰＵＣＣＨ領域にわたって伝送されることができる。ただし、類型２制御チャネルでない領域を介してはサウンディング基準信号は伝送されない。サウンディング基準信号を伝送する端末のみ類型２制御チャネルを使用して、他の端末は、類型１制御チャネルを介してＣＱＩを伝送することができる。
【０１１７】
図２８は、ＣＱＩとサウンディング基準信号を同時伝送する他の例を示す。類型２制御チャネルで、サウンディングＳＣ−ＦＤＭＡシンボルは穿孔されるため、サウンディング基準信号は、前記サウンディングＳＣ−ＦＤＭＡシンボル上でＰＵＳＣＨ領域にわたって伝送されることができる。サウンディング基準信号を伝送する端末のみ類型２制御チャネルを使用して、他の端末は類型１制御チャネルを介してＣＱＩを伝送することができる。
【０１１８】
ＣＱＩとサウンディング基準信号を同時に伝送する場合、一つのサブフレーム上で常に類型１制御チャネルと類型２制御チャネルは共存することができる。これは基地局スケジューリング観点で便利である。
【０１１９】
ＡＣＫ／ＮＡＣＫと違って、ＣＱＩの場合、サウンディング基準信号とＣＱＩを同時に伝送する使用者のみ該当ＳＣ−ＦＤＭＡシンボルが穿孔され、該当穿孔位置を共有する他の使用者のＣＱＩの場合、穿孔する必要なしに正常なフォーマットで伝送しても直交性に問題がない。従って、ＡＣＫ／ＮＡＣＫとサウンディング基準信号を同時に伝送する場合に比べて格段容易にシステムを運用することができる長所がある。
【０１２０】
本発明はハードウェア、ソフトウェアまたはこれらの組合せにより具現されることができる。ハードウェア具現において、前述した機能を遂行するためにデザインされたＡＳＩＣ（ａｐｐｌｉｃａｔｉｏｎ  ｓｐｅｃｉｆｉｃ  ｉｎｔｅｇｒａｔｅｄ  ｃｉｒｃｕｉｔ）、ＤＳＰ（ｄｉｇｉｔａｌ  ｓｉｇｎａｌ  ｐｒｏｃｅｓｓｉｎｇ）、ＰＬＤ（ｐｒｏｇｒａｍｍａｂｌｅ  ｌｏｇｉｃ  ｄｅｖｉｃｅ）、ＦＰＧＡ（ｆｉｅｌｄ  ｐｒｏｇｒａｍｍａｂｌｅ  ｇａｔｅ  ａｒｒａｙ）、プロセッサ、制御機、マイクロプロセッサ、他の電子ユニットまたはこれらの組合せにより具現されることができる。ソフトウェア具現において、前述した機能を遂行するモジュールにより具現されることができる。ソフトウェアは、メモリーユニットに格納されることができて、プロセッサにより実行される。メモリーユニットやプロセッサは、当業者によく知られた多様な手段を採用することができる。
【０１２１】
以上、本発明に対して実施例を参照して説明したが、該当技術分野の通常の知識を有する者は、本発明の技術的思想及び領域から外れない範囲内で、本発明を多様に修正及び変更させて実施することができる。従って、前述した実施例に限定することなく、本発明は特許請求の範囲内の全ての実施例を含む。
【符号の説明】
【０１２２】
１００  伝送器
１１０  サウンディング基準信号生成器
１２０  制御チャネル生成器
１３０  データ処理器
１４０  物理的資源マッパ
１５０  信号生成器
２００  信号生成器
２１０  ＤＦＴ部
２３０  副搬送波マッパ
２４０  ＩＦＦＴ部
【図１】
2010520699.tif 000007
【図２】
2010520699.tif 000008
【図３】
2010520699.tif 000009
【図４】
2010520699.tif 000010
【図５】
2010520699.tif 000011
【図６】
2010520699.tif 000012
【図７】
2010520699.tif 000013
【図８】
2010520699.tif 000014
【図９】
2010520699.tif 000015
【図１０】
2010520699.tif 000016
【図１１】
2010520699.tif 000017
【図１２】
2010520699.tif 000018
【図１３】
2010520699.tif 000019
【図１４】
2010520699.tif 000020
【図１５】
2010520699.tif 000021
【図１６】
2010520699.tif 000022
【図１７】
2010520699.tif 000023
【図１８】
2010520699.tif 000024
【図１９】
2010520699.tif 000025
【図２０】
2010520699.tif 000026
【図２１】
2010520699.tif 000027
【図２２】
2010520699.tif 000028
【図２３】
2010520699.tif 000029
【図２４】
2010520699.tif 000030
【図２５】
2010520699.tif 000031
【図２６】
2010520699.tif 000032
【図２７】
2010520699.tif 000033
【図２８】
2010520699.tif 000034
【手続補正書】
【提出日】平成21年9月4日(2009.9.4)
【手続補正１】
【補正対象書類名】明細書
【補正対象項目名】００１３
【補正方法】変更
【補正の内容】
【００１３】
もう一つの態様にともなう無線通信システムにおいてサウンディング基準信号受信方法は、複数のＳＣ−ＦＤＭＡシンボルで構成されて、一つのＳＣ−ＦＤＭＡシンボルは、穿孔されたＰＵＣＣＨ上でアップリンク制御情報を受信する段階、及び前記穿孔されたＳＣ−ＦＤＭＡシンボル上にサウンディング基準信号を受信する段階、を含む。
（項目１）
無線通信システムにおいてサウンディング基準信号伝送方法において、
サブフレーム上でアップリンク制御情報を運ぶＰＵＣＣＨ（ｐｈｙｓｉｃａｌ  ｕｐｌｉｎｋ  ｃｏｎｔｒｏｌ  ｃｈａｎｎｅｌ）を生成し、前記サブフレームは、複数のＳＣ−ＦＤＭＡ（ｓｉｎｇｌｅ  ｃａｒｒｉｅｒ−ｆｒｅｑｕｅｎｃｙ  ｄｉｖｉｓｉｏｎ  ｍｕｌｔｉｐｌｅ  ａｃｃｅｓｓ）シンボルを含み、一つのＳＣ−ＦＤＭＡシンボルは、穿孔される段階；及び、
前記ＰＵＣＣＨ上の前記アップリンク制御情報と前記穿孔されたＳＣ−ＦＤＭＡシンボル上のサウンディング基準信号を同時に伝送する段階；
を含むことを特徴とするサウンディング基準信号伝送方法。
（項目２）
前記サブフレームは、二つのスロットで構成されて、前記ＰＵＣＣＨは、二つのスロットごとに一つの資源ブロックを使用することを特徴とする項目１に記載のサウンディング基準信号伝送方法。
（項目３）
前記アップリンク制御情報のための前記二つのスロットは、相異する資源ブロックを使用することを特徴とする項目２に記載のサウンディング基準信号伝送方法。
（項目４）
前記アップリンク制御情報は、前記サブフレーム内の二つのスロットごとに相異する長さの直交シーケンスに拡散されることを特徴とする項目２に記載のサウンディング基準信号伝送方法。
（項目５）
前記穿孔されたＳＣ−ＦＤＭＡシンボルを含むスロットに対する直交シーケンスの長さは、他のスロットに対する直交シーケンスの長さより短いことを特徴とする項目４に記載のサウンディング基準信号伝送方法。
（項目６）
前記サウンディング基準信号のための前記穿孔されたＳＣ−ＦＤＭＡシンボルは、前記サブフレーム内の最初のＳＣ−ＦＤＭＡシンボルであることを特徴とする項目１に記載のサウンディング基準信号伝送方法。
（項目７）
前記サウンディング基準信号のための前記穿孔されたＳＣ−ＦＤＭＡシンボルは、前記サブフレーム内の最後のＳＣ−ＦＤＭＡシンボルであることを特徴とする項目１に記載のサウンディング基準信号伝送方法。
（項目８）
前記アップリンク制御情報のビット数は、１ビットまたは２ビットであることを特徴とする項目１に記載のサウンディング基準信号伝送方法。
（項目９）
前記アップリンク制御情報は、ＨＡＲＱ（ｈｙｂｒｉｄ  ａｕｔｏｍａｔｉｃ  ｒｅｐｅａｔ  ｒｅｑｕｅｓｔ）遂行に使われるＡＣＫ（Ａｃｋｎｏｗｌｅｄｇｅｍｅｎｔ）／ＮＡＣＫ（Ｎｏｔ−Ａｃｋｎｏｗｌｅｄｇｅｍｅｎｔ）信号であることを特徴とする項目１に記載のサウンディング基準信号伝送方法。
（項目１０）
前記サウンディング基準信号が前記ＰＵＣＣＨと同時に伝送されるか否かを指示するサウンディング指示子を基地局から受信する段階をさらに含むことを特徴とする項目１に記載のサウンディング基準信号伝送方法。
（項目１１）
前記アップリンク制御情報の復調に使われる復調基準信号を前記ＰＵＣＣＨを介して伝送する段階をさらに含むことを特徴とする項目１に記載のサウンディング基準信号伝送方法。
（項目１２）
無線通信システムにおいてサウンディング基準信号伝送方法において、
サブフレーム上でアップリンク制御情報を運ぶＰＵＣＣＨ（ｐｈｙｓｉｃａｌ  ｕｐｌｉｎｋ  ｃｏｎｔｒｏｌ  ｃｈａｎｎｅｌ）を生成し、前記サブフレームは、第１スロットと第２スロットを含み、一つのスロットは、複数のＳＣ−ＦＤＭＡシンボルを含む段階；及び、
前記ＰＵＣＣＨ上の前記アップリンク制御情報と前記第１スロット上の一つのＳＣ−ＦＤＭＡシンボル上のサウンディング基準信号を伝送する段階；を含み、
前記アップリンク制御情報は、第１スロットで第１直交シーケンスにより拡散されて、第２スロットで第２直交シーケンスにより拡散されて、前記第１直交シーケンスの長さは前記第２直交シーケンスの長さより短いことを特徴とするサウンディング基準信号伝送方法。
（項目１３）
前記第１直交シーケンスは、直交シーケンスの集合｛（１，１，１），（１，ｅｊ２π／３，ｅｊ  ４π／３），（１，ｅｊ４π／３，ｅｊ２π／３）｝から選択されることを特徴とする項目１２に記載のサウンディング基準信号伝送方法。
（項目１）
前記第２直交シーケンスは、直交シーケンスの集合｛（１，１，１，１），（１，−１，１，−１），（１，−１，−１，１）｝から選択されることを特徴とする項目１２に記載のサウンディング基準信号伝送方法。
（項目１５）
前記アップリンク制御情報のための第１スロットと第２スロットは、相異する副搬送波を使用することを特徴とする項目１２に記載のサウンディング基準信号伝送方法。
（項目１６）
前記サウンディング基準信号のための前記ＳＣ−ＦＤＭＡシンボルは、前記ＰＵＣＣＨで穿孔されたＳＣ−ＦＤＭＡシンボルであることを特徴とする項目１２に記載のサウンディング基準信号伝送方法。
（項目１７）
前記アップリンク制御情報と前記サウンディング基準信号は、同時に伝送されることを特徴とする項目１２に記載のサウンディング基準信号伝送方法。
（項目１８）
無線通信システムにおいてサウンディング基準信号受信方法において、
複数のＳＣ−ＦＤＭＡシンボルで構成されて、一つのＳＣ−ＦＤＭＡシンボルは、穿孔されたＰＵＣＣＨ上でアップリンク制御情報を受信する段階；及び、
前記穿孔されたＳＣ−ＦＤＭＡシンボル上にサウンディング基準信号を受信する段階；を含むことを特徴とするサウンディング基準信号受信方法。
（項目１９）
前記アップリンク制御情報と前記サウンディング基準信号は、端末により同時に伝送されることを特徴とする項目１８に記載のサウンディング基準信号受信方法。
（項目２０）
前記サウンディング基準信号を用いてアップリンクチャネル状態を測定する段階をさらに含むことを特徴とする項目１８に記載のサウンディング基準信号受信方法。
【手続補正２】
【補正対象書類名】特許請求の範囲
【補正対象項目名】全文
【補正方法】変更
【補正の内容】
【特許請求の範囲】
【請求項１】
無線通信システムにおいて基準信号を伝送する方法において、
端末からネットワークに、制御情報と第１基準信号とをサブフレームで複数のＳＣ−ＦＤＭＡ（ｓｉｎｇｌｅ  ｃａｒｒｉｅｒ−ｆｒｅｑｕｅｎｃｙ  ｄｉｖｉｓｉｏｎ  ｍｕｌｔｉｐｌｅ  ａｃｃｅｓｓ）シンボルを介して伝送して、
第２基準信号を伝送するために、前記サブフレームで前記複数のＳＣ−ＦＤＭＡシンボルのうち一つを予約して、及び
前記ネットワークに伝送される前記第２基準信号が前記端末に存在すると、前記予約されたＳＣ−ＦＤＭＡシンボルを介して前記第２基準信号を伝送することを含み、
前記制御情報、前記第１基準信号及び前記第２基準信号は、前記同じサブフレームで前記ネットワークに伝送される方法。
【請求項２】
前記第２基準信号は、ＰＵＣＣＨ（ｐｈｙｓｉｃａｌ  ｕｐｌｉｎｋ  ｃｏｎｔｒｏｌ  ｃｈａｎｎｅｌ）またはＰＵＳＣＨ（ｐｈｙｓｉｃａｌ  ｕｐｌｉｎｋ  ｓｈａｒｅｄ  ｃｈａｎｎｅｌ）に対応する前記予約されたＳＣ−ＦＤＭＡシンボルの一部に伝送される請求項１に記載の方法。
【請求項３】
前記第２基準信号は、ＰＵＣＣＨ（ｐｈｙｓｉｃａｌ  ｕｐｌｉｎｋ  ｃｏｎｔｒｏｌ  ｃｈａｎｎｅｌ）及びＰＵＳＣＨ（ｐｈｙｓｉｃａｌ  ｕｐｌｉｎｋ  ｓｈａｒｅｄ  ｃｈａｎｎｅｌ）に対応する前記予約されたＳＣ−ＦＤＭＡシンボルの一部に伝送される請求項１に記載の方法。
【請求項４】
前記第２基準信号は、サウンディング基準信号（ｓｏｕｎｄｉｎｇ  ｒｅｆｅｒｅｎｃｅ  ｓｉｇｎａｌ）であり、前記第１基準信号は、復調基準信号（ｄｅｍｏｄｕｌａｔｉｏｎ  ｒｅｆｅｒｅｎｃｅ  ｓｉｇｎａｌ）である請求項１に記載の方法。
【請求項５】
前記サブフレームは、二つのスロット（ｓｌｏｔ）で構成される請求項１に記載の方法。
【請求項６】
前記二つのスロットのうち一つで前記制御情報が伝送される周波数は、前記二つのスロットのうち他の一つで前記制御情報が伝送される周波数と異なる請求項５に記載の方法。
【請求項７】
前記制御情報は、前記サブフレームの二つのスロットの各々で相異の長さを有する直交シーケンスによって拡散される請求項５に記載の方法。
【請求項８】
前記二つのスロットのうち一つで前記制御情報は、拡散係数３によって拡散され、前記二つのスロットのうち他の一つで前記制御情報は、拡散係数４によって拡散される請求項７に記載の方法。
【請求項９】
前記二つのスロットのうち前記第２基準信号が伝送される前記予約されたＳＣ−ＦＤＭＡシンボルを含むスロットの前記直交シーケンスの長さは、他のスロットの直交シーケンスの長さより短い請求項７に記載の方法。
【請求項１０】
前記サブフレームの最後のＳＣ−ＦＤＭＡシンボルが前記第２基準信号の伝送のために予約される請求項１に記載の方法。
【請求項１１】
前記制御情報は、ＣＱＩ（ｃｈａｎｎｅｌ  ｑｕａｌｉｔｙ  ｉｎｆｏｒｍａｔｉｏｎ）またはＨＡＲＱ（ｈｙｂｒｉｄ  ａｕｔｏｍａｔｉｃ  ｒｅｐｅａｔ  ｒｅｑｕｅｓｔ）方式に使われるＡＣＫ（Ａｃｋｎｏｗｌｅｄｇｍｅｎｔ）／ＮＡＣＫ（ｎｏｎ−Ａｃｋｎｏｗｌｅｄｇｍｅｎｔ）信号である請求項１に記載の方法。
【請求項１２】
無線通信システムにおいて基準信号を伝送する方法において、
伝送される第２基準信号がないと、端末からネットワークに、制御情報と第１基準信号をサブフレームで第１個数のＳＣ−ＦＤＭＡシンボルを介して伝送して、及び
伝送される第２基準信号があると、前記端末から前記ネットワークに、前記制御情報と前記第１基準信号をサブフレームで第２個数のＳＣ−ＦＤＭＡシンボルを介して伝送することを含み、
前記第２個数のＳＣ−ＦＤＭＡシンボルを介した前記制御情報と前記第１基準信号、及び前記第２基準信号は、前記同じサブフレームで前記ネットワークに伝送される方法。
【請求項１３】
前記第２個数のＳＣ−ＦＤＭＡシンボルは、前記第１個数のＳＣ−ＦＤＭＡシンボルより一シンボル小さい請求項１２に記載の方法。
【請求項１４】
前記第２個数のＳＣ−ＦＤＭＡシンボルに含まれない予約のＳＣ−ＦＤＭＡシンボルを介して前記第２基準信号を前記ネットワークに伝送することをさらに含む請求項１２に記載の方法。
【請求項１５】
前記第２基準信号は、ＰＵＣＣＨ（ｐｈｙｓｉｃａｌ  ｕｐｌｉｎｋ  ｃｏｎｔｒｏｌ  ｃｈａｎｎｅｌ）またはＰＵＳＣＨ（ｐｈｙｓｉｃａｌ  ｕｐｌｉｎｋ  ｓｈａｒｅｄ  ｃｈａｎｎｅｌ）に対応する前記予約されたＳＣ−ＦＤＭＡシンボルの一部に伝送される請求項１４に記載の方法。
【請求項１６】
前記第２基準信号は、ＰＵＣＣＨ（ｐｈｙｓｉｃａｌ  ｕｐｌｉｎｋ  ｃｏｎｔｒｏｌ  ｃｈａｎｎｅｌ）及びＰＵＳＣＨ（ｐｈｙｓｉｃａｌ  ｕｐｌｉｎｋ  ｓｈａｒｅｄ  ｃｈａｎｎｅｌ）に対応する前記予約されたＳＣ−ＦＤＭＡシンボルの一部に伝送される請求項１４に記載の方法。
【請求項１７】
前記第２基準信号は、サウンディング基準信号（ｓｏｕｎｄｉｎｇ  ｒｅｆｅｒｅｎｃｅ  ｓｉｇｎａｌ）であり、前記第１基準信号は、復調基準信号（ｄｅｍｏｄｕｌａｔｉｏｎ  ｒｅｆｅｒｅｎｃｅ  ｓｉｇｎａｌ）である請求項１２に記載の方法。
【請求項１８】
前記サブフレームは、二つのスロット（ｓｌｏｔ）で構成される請求項１２に記載の方法。
【請求項１９】
前記二つのスロットのうち一つで前記制御情報が伝送される周波数は、前記二つのスロットのうち他の一つで前記制御情報が伝送される周波数と異なる請求項１８に記載の方法。
【請求項２０】
前記制御情報は、前記サブフレームの二つのスロットの各々で相異の長さを有する直交シーケンスによって拡散される請求項１８に記載の方法。
【請求項２１】
前記二つのスロットのうち一つで前記制御情報は、拡散係数３によって拡散され、前記二つのスロットのうち他の一つで前記制御情報は、拡散係数４によって拡散される請求項２０に記載の方法。
【請求項２２】
前記二つのスロットのうち前記第２基準信号が伝送される前記予約されたＳＣ−ＦＤＭＡシンボルを含むスロットの前記直交シーケンスの長さは、他のスロットの直交シーケンスの長さより短い請求項２０に記載の方法。
【請求項２３】
前記サブフレームの最後のＳＣ−ＦＤＭＡシンボルが前記第２基準信号の伝送のために予約される請求項１２に記載の方法。
【請求項２４】
前記制御情報は、ＣＱＩ（ｃｈａｎｎｅｌ  ｑｕａｌｉｔｙ  ｉｎｆｏｒｍａｔｉｏｎ）またはＨＡＲＱ（ｈｙｂｒｉｄ  ａｕｔｏｍａｔｉｃ  ｒｅｐｅａｔ  ｒｅｑｕｅｓｔ）方式に使われるＡＣＫ（Ａｃｋｎｏｗｌｅｄｇｍｅｎｔ）／ＮＡＣＫ（ｎｏｎ−Ａｃｋｎｏｗｌｅｄｇｍｅｎｔ）信号である請求項１２に記載の方法。
【国際調査報告】
2010520699.tif 000035
2010520699.tif 000036
2010520699.tif 000037